(57)【要約】  発明は流体を濾過する方法に関する。発明による方法は、濾過ケーク形成の原因となる汚染流体を濾過した後、変化する流速または変化する駆動力において実質上汚染されていない流体を濾過ケークおよび濾過エレメントを通して供給することを特徴とする。必要な駆動力およびそれぞれの得られた流速を同時に測定する。測定値およびそれぞれの設定値を少なくとも１つの標準データセットで比較し、この比較に基づき濾過される流体、濾過エレメントおよび濾過ケークの汚染状態を決定する。発明による方法によって濾過される流体の特性を正確に決定することが可能となる。これは、簡単に流速を変化させて異なる流速で駆動力を測定することで、またはその逆を行うことで実現できる。【選択図】  なし【特許請求の範囲】
【請求項１】
流体を濾過する方法であって、
（ａ）濾過ケークの形で濾過エレメントに堆積する流体汚染物質を除去するため汚染された流体を濾過し、
（ｂ）その後、実質上汚染されていない流体を濾過エレメントに通して供給して、（Ｉ）流速を変化させて駆動力を測定するか、または（II）駆動力を変化させて流速を測定し、
（ｃ）少なくとも１つの標準データセットを使用して、（Ｉ）それぞれの流速における駆動力の測定値と、または（II）それぞれの駆動力における流速の測定値と比較し、
（ｄ）ステップ（ｃ）の比較に基づいて、濾過される流体または濾過エレメントの汚染状態の特性を決定する
ステップが含まれたことを特徴とする方法。
【請求項２】
ステップ（ｂ）において、濾過装置の実質上汚染されていない流体を濾過エレメントを通して供給することを特徴とする請求項１に記載の方法。
【請求項３】
ステップ（ｂ）において、実質上汚染されていない流体を濾過ケークを通して濾過方向とは逆方向に流すことを特徴とする請求項１に記載の方法。
【請求項４】
連続する時間間隔でステップ（ａ）からステップ（ｄ）までを繰り返し、状態特性の変化を取得するために連続する時間間隔でステップ（ｄ）で取得された値をステップ（ｄ）で取得された別の値と比較することを特徴とする請求項１ないし３のいずれか１項に記載の方法。
【請求項５】
ステップ（ｃ）の標準セットは、実質上汚染されていない流体に関係する、実質上汚染されていない濾過エレメントの測定から取得することを特徴とする請求項１ないし４のいずれか１項に記載の方法。
【請求項６】
標準セットは、変化する駆動力値における実質上一定の流速値、変化する流速値における実質上一定の駆動力値、および増加または減少する流速値におけるそれぞれ増加または減少する駆動力値から選択された少なくとも１セットを含み、これらの各セットは汚染特性を表すことを特徴とする請求項１ないし５のいずれか１項に記載の方法。
【請求項７】
駆動力と流速の関係を記述するモデルのパラメーターセットで標準セットを形成することを特徴とする請求項１ないし６のいずれか１項に記載の方法。
【請求項８】
特性決定は圧縮性濾過ケークおよび非圧縮性濾過ケークの少なくとも１つから選択する
ことを特徴とする請求項１ないし７のいずれか１項に記載の方法。
【請求項９】
ステップ（ｂ）の実質上汚染されていない流体は濾過エレメントの汚染度合をさらに増加させないことを特徴とする請求項１ないし８のいずれか１項に記載の方法。
【請求項１０】
特性決定中の濾過エレメントの汚染度合のさらなる増加はすでに存在する汚染度合の最大１０％、好ましくは最大５％、より好ましくは最大２％、一層好ましくは１％、最も好ましくは０．５％であることを特徴とする請求項９に記載の方法。
【請求項１１】
汚染度合のさらなる増加は設定流速で測定された駆動力で表すことを特徴とする請求項１０に記載の方法。
【請求項１２】
ステップ（ｄ）を実施した後、
（ｅ）濾過ケークを実質上除去するために濾過エレメントに洗浄処理を行ない、
補正された状態の特性を決定するため、
（ｆ）ステップ（ｂ）を繰り返し、
（ｇ）ステップ（ｃ）を繰り返す
ことを特徴とする請求項１ないし１１のいずれか１項に記載の方法。
【請求項１３】
ステップ（ｇ）の標準セットは、実質上汚染されていない流体に関係する、実質上汚染されていない濾過エレメントの測定から取得することを特徴とする請求項１２に記載の方法。
【請求項１４】
濾過ステップはデッドエンド式、セミデッドエンド式またはクロスフロー式で行うことを特徴とする請求項１ないし１３のいずれか１項に記載の方法。
【請求項１５】
ステップ（ｂ）において、例えば温度、汚濁、伝導率などから選択された少なくとも１つの他の流体特性も測定することを特徴とする請求項１ないし１４のいずれか１項に記載の方法。
【請求項１６】
請求項１ないし１５のいずれか１項に記載の方法で取得されたデータに基づいて濾過工程を制御する方法。
【請求項１７】
例えば温度、汚染濃度、流体の酸性度などの少なくとも１つから選択された流体の物理的特性を変化させ、
および／または、例えば凝集および／または予備濾過などの少なくとも１つから選択された処理を実施する
ことを特徴とする請求項１６に記載の方法。
【請求項１８】
請求項１ないし請求項１７のいずれか１項に記載の方法に適し、実質上汚染されていない濾過エレメントから標準の測定データセットを取得する方法であって、
実質上汚染されていない流体を実質上汚染されていない濾過エレメントを通して供給して、（Ｉ）流速を変化させて駆動力を測定するか、または（II）駆動力を変化させて流速を測定し、
駆動力およびそれぞれの流速の値を標準データセットに記憶させる
ことが含まれる方法。
【発明の詳細な説明】
【技術分野】
【０００１】
本発明は流体を濾過する方法、特に、濾過される流体および濾過エレメントの状態特性とその変化を取得する方法、また特に、濾過される流体および濾過エレメントの汚染状態とその変化を取得する方法に関する。特に本発明は状態特性とその変化を濾過エレメントおよび濾過される流体から取得できる方法に関する。特段の記載のない限り、本発明の明細書に記載された用語「濾過エレメント」は（清浄な）濾過エレメント、濾過エレメントに形成された濾過ケークおよび両者の組合せを意味する。
【０００２】
以下、濾過工程の特定の要素のみについて、特に濾過ケークおよび濾過される流体の特性さらにその特性の変化について述べる。しかし、発明は単に典型的なこれらの実施形態に限定されるものではない。
【背景技術】
【０００３】
汚染物質を除去するため流体を濾過することは当分野で一般に知られている。汚染物質を除去するために流体を濾過する場合、濾過エレメントが使用されるが、濾過エレメントには汚染物質の一部が濾過ケークの形で堆積する。濾過で除去される汚染物質の性質によって、この濾過ケークは大きく変わり、例えば、圧縮可能な、圧縮不可能な、または密な濾過ケークとなる。また、濾過で除去される汚染物質は多少なりとも濾過エレメントの孔を塞ぐか、または、例えば濾過エレメントに吸着されることになる。
【０００４】
濾過ケークがある厚さに達したとき、一般に濾過ケークは除去しなければならない。濾過の方法および濾過ケークの除去の方法は、とりわけ濾過ケークの性質を含めた濾過エレメントのタイプによって変わる。したがって、濾過エレメントの汚染状態の性質および濾過ケークの性質、濾過器の汚染状態および濾過される流体の汚染特性を、このような瞬間の状態およびこのような状態の時間的変化に基づいて、下記の濾過工程の重要な局面を制御し、モデル化し、最適化することを可能にする目的をもって知ることが得策である。
【０００５】
−生成工程部
−水圧式／機械式洗浄工程部（例えば、逆洗浄）
−化学的洗浄工程部
濾過エレメントの材料および形状は濾過工程中に得られる濾過エレメントの状態特性に影響を与える。これは、閉塞を防止する観点では特に濾過エレメントの幾何形状、例えば直径に、また吸着を防止する観点では材料の組成に当てはまる。
【０００６】
先行技術においては、一般に濾過エレメントは標準の手順によって清浄化される。濾過ケークが一定の厚さに達したとき、または駆動力が一定の値を超えたとき、または予め設定した時間間隔が経過した後、例えば逆洗浄または表面洗浄によって濾過ケークを除去できる。これらの洗浄は、濾過される流体と同じ流体に化学薬品を混ぜて、濾過された流体および／またはこれらと別の流体（例えば、ガス）または固体との組合せで行うことが可能である。しかし、濾過エレメントの状態、特に濾過ケークの性質は考慮されていない。
【０００７】
したがって、濾過エレメントの状態とその変化、すなわち、濾過エレメントおよび濾過ケークの状態を簡単に決定できる方法が必要となる。前述したように濾過工程の重要な局面を制御し、モデル化し、最適化することを可能にする目的をもって、このような瞬間の状態およびこのような状態の時間的変化に基づいて濾過エレメントの洗浄工程と組み合わせたこのような方法が特に必要となる。
【発明の開示】
【発明が解決しようとする課題】
【０００８】
本発明の目的は（濾過エレメントおよび濾過される流体およびそこに含まれる汚染物質の特性に関する）濾過工程の状態特性およびその変化を簡単なやり方で取得する改善された方法を提供することである。発明の目的は特に濾過工程の汚染状態（およびその変化）の特性を決定する方法を提供することである。
【０００９】
発明の別の目的は濾過工程の汚染状態の特性を決定し汚染量を算出する方法を提供することである。発明の目的は一般に、濾過工程を制御し、モデル化し、最適化することに関する前述した可能な手段に達する目的をもって序文で述べた種類の改善された方法を提供することである。取得されたデータは設計データおよび工程データを取得することも意図され、これに基づいて下記に達することが可能になる。
【００１０】
−例えば、物理的または化学的処理ステップ（加熱／冷却、希釈、凝集、予備濾過など）により流体の特性を適合させる方法、
−濾過エレメントの適切な幾何学的配置および組成（例えば閉塞を防止するための濾過エレメントの直径、例えば吸着を防止するための材料の選択）、
−適切な水圧式／機械式洗浄方法の選択、
−適切な化学的洗浄方法の選択、
−濾過工程の容量を評価する能力（汚染状態の不可逆性の測定は知られているか、または取得されるデータから決定できるので）、
−濾過工程の分離品質に関するデータを取得する方法（濾過エレメントの経年変化、すなわち濾過エレメントの寿命は知られているか、または計算できるので）、さらにこの方法により情報が濾過装置の設計および操作に利用可能となる。      
【課題を解決するための手段】
【００１１】
前述した目的の少なくとも１つを取得するために、本発明は前述した方法を提供し、その方法には次のステップが含まれることを特徴とする。
（ａ）濾過ケークの形で濾過エレメントに堆積する流体汚染物質を除去するため汚染された流体を濾過し、
（ｂ）その後、実質上汚染されていない流体を濾過エレメントを通して供給して、（Ｉ）流速を変化させて駆動力を測定するか、または（II）駆動力を変化させて流速を測定し、
（ｃ）少なくとも１つの標準データセットを使用して、（Ｉ）それぞれの流速における駆動力の測定値と、または（II）それぞれの駆動力における流速の測定値と比較し、
（ｄ）ステップ（ｃ）の比較に基づいて、濾過工程（例えば、濾過される流体または濾過エレメント）の状態特性またはその変化を決定する。
【００１２】
発明による方法を使用することで濾過工程の状態特性を取得することが非常に簡単になる。特に、濾過工程の汚染特性およびその変化を取得することがこの方法で可能となる。濾過ケークと濾過エレメントを通して供給される流体は実質上汚染されていないので、特性決定の間は濾過ケークのさらなる変化は生じない。
【００１３】
本発明による方法では堆積した汚染物質の量および性質を決定することも可能になる。堆積した汚染物質の量を決定する公知の方法に比べ有利となる。というのは、他の方法によると、濾過ケークの厚さの進行を測定するために余分の測定装置を備えるか、または濾過ケークを物理的に変化させるかの必要があるからである。濾過エレメントに対する駆動力および濾過エレメントを通る流速を測定することによって、発明は濾過ケークの平均厚さおよびその進行を決定することを可能にする。
【００１４】
本発明の有利性は先行技術の方法では得ることができない。濾過処理の間の駆動力の増加を監視し、駆動力の測定値に基づいて洗浄ステップを開始することは、先行技術ですでに知られている。しかし、駆動力のみを測定することは汚染の性質に関する情報をなんら与えるものではない。したがって、この点において、本発明は重要な改善および有利性を与える。それで、流体の特性、濾過エレメントの汚染の性質および状態に基づいて目的にかなった洗浄ステップをいかに実施するかがわかる。
【００１５】
本明細書で交換可能に使用する用語「汚染されていない流体」または「非汚染流体」は濾過工程の状態の特性を決定する間において汚染は実質上生じないことを意味する。これは、流速の変化を汚染の形成よりもかなり速くする必要があることを意味し、この場合、特性決定自体は濾過で浄化される供給液と同一の供給液で行われる。
【００１６】
発明の好ましい実施形態によれば、ステップ（ｂ）において濾過装置の実質上汚染されていない流体を濾過エレメントを通して供給するとき良好な結果が得られる。
発明の好ましい実施形態によれば、ステップ（ｂ）において実質上汚染されていない流体を濾過ケークを通して濾過方向とは逆方向に流すとき特に良好な結果が得られる。
【００１７】
いずれにしても、特性決定の間においては濾過エレメントの汚染度合の増加は既に存在する汚染度合の最大１０％、好ましくは最大５％、より好ましくは最大２％、一層好ましくは１％、最も好ましくは０．５％であるのが好ましい。より好ましい実施形態によると、汚染のさらなる増加は所定の流速で測定された駆動力で表される。
【００１８】
さらに好ましい実施形態によると、標準セットは、変化する駆動力値における実質上一定の流速値、変化する流速値における実質上一定の駆動力値、および増加または減少する流速値におけるそれぞれ増加または減少する駆動力値から選択された少なくとも１セットを含み、これらの各セットは汚染特性を表す。このようなセットは汚染状態の可能なタイプの満足すべき記述を与える。
【００１９】
別の実施形態によると、駆動力と流速の関係を記述するモデルのパラメーターセットで標準セットを形成する。ある流速値において測定値を測定値の標準セットと比較することで、流体の特性、汚染の性質および濾過エレメントの状態が有効に表示される。
【００２０】
特性決定は圧縮性濾過ケークおよび非圧縮性濾過ケークの少なくとも１つから選択する
ことが好ましい。この特性決定に基づいて、濾過工程の制御、モデル化および最適化に関する適切な方法が選ばれる。
【００２１】
発明を適切にさらに展開すると、発明のステップ（ｄ）を行った後、
（ｅ）濾過ケークを実質上除去するために濾過エレメントに洗浄処理を行ない、  
（ｆ）次に、洗浄処理後の補正された状態の特性を決定するためにステップ（ｂ）および（ｃ）を実施する。洗浄処理が（すなわち、標準データセットと比較して）不十分であることがわかれば、ステップ（ｅ）から（ｆ）までを繰り返す。
【００２２】
さらに好ましい実施形態によると、標準データセットは汚染されていない濾過エレメント、例えば新しい濾過エレメントを汚染されていない流体を使って特性決定することで得られる。特性決定に使用される流体は標準データを決定するのに使用された流体と同一の流体であるのが好ましい。
【００２３】
したがって、本発明は実質上汚染されていない流体を汚染されていない濾過エレメントを通して供給して、（Ｉ）流速を変化させて駆動力を測定するか、または（II）駆動力を変化させて流速を測定し、駆動力およびそれぞれの流速の値を標準データセットに記憶する、前記実施形態の１つによる方法に適切に使用される新しい濾過エレメントの測定データの標準データセットを得る方法にも関係する。
【００２４】
発明は濾過様式の特定のタイプに限定されないが、濾過ステップはデッドエンド式で行うのが好ましい。これで駆動力と流速との関係が正確に決定できる。しかし、濾過分野の専門家に周知されているように、よく定義された条件で、このような工程をクロスフロー式で、または２つを組み合せたセミデッドエンド式で実施することもできる。
【００２５】
この方法の適用において、濾過エレメントの他の（物理的）特性が、例えば粘度を決定するための温度、汚濁、粒度分布、濃度、伝導率などで決定されるのが好ましい。測定される特定の他の特性は濾過過程に使用されるモデルに依存し、（いわゆるケーク層濾過に関するダルシーの法則のように）抵抗も明らかに特定される。抵抗に与える汚染の影響は汚染されていない流体を使用した清浄な濾過エレメントの抵抗と比較することからでも推論できる。それに基づいて汚染量を算出することが可能となる。
【００２６】
例えば、実質上汚染されていない流体を汚染された濾過エレメント（すなわち、濾過エレメントと濾過ケーク）に透過させて異なる流量値を設定するとき、駆動力と流速との関係を示すグラフが発明により与えられる。堆積特性はこのグラフの曲線から決定できる。この詳細は後述する。
【発明を実施するための最良の形態】
【００２７】
図１は濾過された汚染物質の量に比例する変数に対し、濾過ケークを通して測定した抵抗でプロットした曲線を示す。この場合、地表水を濾過した。図１でわかるように、この濾過曲線は２次関数で表現できる。
【００２８】
図２は産業逆洗水の濾過曲線を示す。この場合も、濾過曲線は２次関数で表現できると思われる。
ある意味において、両者の濾過曲線の間には実質上類似性がある。これに基づいて流体および濾過エレメントの特性を決定することはできない。したがって、これに基づいて正確な記載で全濾過工程の制御、モデル化および最適化に到達することは不可能である。
【００２９】
濾過工程の特性決定を本発明によって実施すると、それぞれ図３および４に示すようなグラフが得られる。図３は清浄な流体を異なる流速で供給したときの濾過ケークを通した抵抗の経過を示す。流速の増加につれて抵抗が増加する様子が明確に見られる。
【００３０】
図３とは対照的に、図４では流速が増加しても抵抗は増加しないことが示される。
したがって、図３および４は濾過ケークの行動が全く異なることを示す。図２は濾過ケーク形成が増加するにつれて抵抗が大きく増加することを示すが、これは濾過ケークの圧縮性または流速に関連する行動によるものではなく、例えば容積効果によるものである。
【００３１】
しかし、地表水から生じた濾過ケークは大きい流速では異なった行動をする。この場合、図１に示される地表水から生じた濾過ケークは大きい流速で圧縮される。これで抵抗が増加する。
【００３２】
一方、産業排水の場合、流速が増加しても抵抗は増加しない。この場合、濾過ケークには圧縮性がない。この例では、例えば、流路が流体から濾過された汚染物質で物理的に閉塞されると、抵抗は増加することがある。
【００３３】
特性決定を行うのに使用できる流体は、例えば清浄な流体である。浄化される液体が実質上汚染物質を含んでいないと、特性決定が行われる短い時間では濾過エレメントには実質上汚染が追加されない。その場合、特性決定を行う流体として、浄化される液体を使用することが容認される。勿論、浄化される液体を清浄な液体で希釈するか、または確実にこれ以上濾過ケークが増加しない補助物質または添加物質を加えることも可能である。勿論、特性決定のために、濾過ステップですでに濾過された流体を使用することも同様に可能である。
【００３４】
産業濾過装置においては非常に多くの濾過ユニットが並列接続で配置される。これらの濾過ユニットの１つは、例えば特性決定を行うのに使用される。その場合、特性決定を行うのに適切であれば、そのユニットは他の濾過ユニットと同一にすることができる。そのために、それぞれの濾過ユニットは濾過される流体の供給から遮断できるようにする必要がある。または、特性決定実施の間に、それぞれの濾過ユニットを実質上清浄な流体の入口に接続できるようにする必要がある。勿論、特性決定は濾過された液体で行うこともできることは言うまでもない。しかし、いずれにしても流速または駆動力のいずれかを変更することのできる装置を設ける必要がある。したがって、一般的に、それぞれの濾過ユニットを他の濾過ユニットから油圧で分離する必要がある。当分野の専門家であれば、例えば適切な場所に弁を設けることでこのような分離を行うことができる。
【００３５】
別の実施形態によると、デッドエンド式の代わりにクロスフロー式で特性決定を行うことができる。例えば特性決定はデッドエンド式で行うのに対して、濾過はクロスフロー式で行うこともできる。勿論、他のすべての組合せも可能である。しかし、少なくとも特性決定をデッドエンド式で行う実施形態の方が好ましい。
【００３６】
すでに述べたように、抵抗は駆動力（例えば、横断濾過圧力または横断膜圧力ＴＭＰ）を測定することで決定できる。ケーク濾過の場合、ダルシーの法則を使って次のように表される。
【００３７】
Ｒ＝ＴＭＰ／ηＪ                  （１）
ただし、
Ｒ    ＝合計抵抗
ＴＭＰ＝駆動力
η    ＝粘度
Ｊ    ＝流速
最後に、ステップ（ｂ）の間の流体の温度も測定することが好ましい。流体の種類と温度から粘度を正確に決定することができる。ダルシーの法則によると、次いで抵抗を算出することができる。汚染が存在しなければ、この法則は清浄な濾過エレメントの抵抗を決定するのに使用することができる。これは清浄な液体（または別の適切な流体）を清浄な濾過エレメントを通して異なる流速で濾過することで測定される。有効な領域において濾過エレメントの抵抗は次の式で表される。
【００３８】
ＲＭ＝ＲＭ０＋ＢＪ                  （２）
または
ＲＭ＝ＲＭ０＋Ｂ’ηＪ              （３）
ただし、
ＲＭ    ＝濾過エレメント抵抗
ＲＭ０  ＝濾過エレメント抵抗の流速に関係しない部分
Ｂ    ＝比例定数
Ｂ’  ＝比例定数
濾過エレメント抵抗がわかれば、連続する近似における抵抗は汚染の抵抗を決定するのに使用される。
【００３９】
ＲＦ＝ＴＭＰ／ηＪ−ＲＭ            （４）
ただし、
ＲＦ    ＝現在の濾過ケーク抵抗
汚染の抵抗は汚染度合および多分流速にも依存する。このことはすでに前述のように明確に示されている。したがって、抵抗は清浄水の流速の関数として、または単位濾過面積当たりの濾過容積の関数として表される。好ましい実施形態によれば、濾過はデッドエンド式濾過によって生じ、その場合この変数は汚染度合に直接関係し、次式によって決定される。
【００４０】
ｄｗ／ｄｔ＝Ｊ                    （５）
ただし、
ｗ    ＝汚染負荷
ｔ    ＝時間  
圧縮性ケーク層では、ケーク層抵抗とケーク層の圧力降下との関係は次の実験式によって示される。
【００４１】
ＲＦ＝ωα（１＋βΔＰＦｎ）        （６）
ただし、
ω    ＝汚染負荷
α    ＝特定のケーク層抵抗
β    ＝圧縮係数
ΔＰ-Ｆ  ＝ケーク層の圧力降下
ｎ    ＝実験による補正係数
ケーク層の圧力降下は直接には測定できないが、式（１）によって測定された抵抗から計算できる。
【００４２】
ΔＰＦ＝ＲＦＪη                    （７）
大半の適用のためｎ＝１として式（６）を式（７）に代入すると次式が得られる。
ΔＰＦ＝ωα（１＋βΔＰＦ）Ｊη    （８）
圧縮性ケーク層においてはケーク層の圧力降下はケーク層の位置の関数となる。筒状濾過エレメントの場合、式（８）を離散化すると次式が得られる。
【００４３】
（１／ηJ）（ｄＰＦ／ｄｒ）-＝［１＋βＰＦ（ｒ）］  （９）  
この式を式（６）に代入すると次式が得られる。
ＲＦ＝αωΦ（１＋βαωΦＪη）                  （１０）
ただし、容積係数Φは次式で与えられる。
【００４４】
Φ＝（ｒ／２ωＸ）Ｌｎ［１−２ωＸ／ｒ］          （１１）  
ただし、
ｒ    ＝濾過エレメントの半径
Ｘ    ＝ケーク層の厚み
式（１１）からΦは薄いケーク層、平面膜システムおよび低容積部分に対しては約１であることに注目される。
【００４５】
濾過曲線が一旦決定されると、汚染度合と抵抗との関係がわかる。この値は、清浄な濾過エレメントを通して清浄な流体を濾過するとき、抵抗を測定することで洗浄処理後の汚染量を算出するのに使用することができる。
【００４６】
前述したように図１または図２からケーク層の特性を決定することができず、図３または図４も圧縮係数βを決定するのに必要となる。このβがわかると、図１または図２の曲線が式（１０）に適合できる。このために、例えばシンプレックス法などの種々の数学的ルーチンが知られている。
【００４７】
発明による特性決定を通常に実施することにより、状態特性の変化のため全濾過工程が監視できるので、例えば濾過される流体、濾過ケークの性質および濾過エレメントの状態の特性の変化を追求することができる。これに基づいて、全濾過工程を記述し、制御し、モデル化し、最適化することができる。さらに、流体の特性を適合させる方法に関する情報および濾過エレメント自体の容量と品質に関する情報が備わることになる。
【００４８】
本発明は上記に述べた特定の実施形態に限定されるものではない。発明は特許請求の範囲によってのみ限定される。
【図面の簡単な説明】
【００４９】
【図１】濾過物量と抵抗の関係を示すグラフである。
【図２】濾過物量と抵抗の関係を示すグラフである。
【図３】流量と抵抗の関係を示すグラフである。
【図４】流量と抵抗の関係を示すグラフである。
【図１】
2008513198.tif 000002
【図２】
2008513198.tif 000003
【図３】
2008513198.tif 000004
【図４】
2008513198.tif 000005
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
流体を濾過する方法であって、
（ａ）濾過ケークの形で濾過エレメントに堆積する流体汚染固形物を除去するため汚染された流体を濾過し、
（ｂ）その後、実質上汚染されていない流体を濾過エレメントを通して供給して、（Ｉ）流速を変化させて駆動力を測定するか、または（II）駆動力を変化させて流速を測定し、
（ｃ）少なくとも１つの標準データセットを使用して、（Ｉ）それぞれの流速における駆動力の測定値と、または（II）それぞれの駆動力における流速の測定値と比較し、
（ｄ）ステップ（ｃ）の比較に基づいて、濾過される流体または濾過エレメントの汚染状態の特性を決定する
ステップが含まれ、
連続する時間間隔でステップ（ａ）からステップ（ｄ）までを繰り返し、状態特性の変化を取得するために連続する時間間隔でステップ（ｄ）で取得された値をステップ（ｄ）で取得された別の値と比較する
ことを特徴とする方法。
【請求項２】
ステップ（ｂ）において、実質上汚染されていない流体を濾過エレメントを通して濾過方向に供給することを特徴とする請求項１に記載の方法。
【請求項３】
ステップ（ｂ）において、実質上汚染されていない流体を濾過ケークを通して濾過方向とは逆方向に供給することを特徴とする請求項１に記載の方法。
【請求項４】
ステップ（ｃ）の標準セットは、実質上汚染されていない流体に関係する、実質上汚染されていない濾過エレメントの測定から取得することを特徴とする請求項１ないし３のいずれか１項に記載の方法。
【請求項５】
標準セットは、変化する駆動力値における実質上一定の流速値、変化する流速値における実質上一定の駆動力値、および増加または減少する流速値におけるそれぞれ増加または減少する駆動力値から選択された少なくとも１セットを含み、これらの各セットは汚染特性を表すことを特徴とする請求項１ないし４のいずれか１項に記載の方法。
【請求項６】
駆動力と流速の関係を記述するモデルのパラメーターセットで標準セットを形成することを特徴とする請求項１ないし５のいずれか１項に記載の方法。
【請求項７】
特性決定は圧縮性濾過ケークおよび非圧縮性濾過ケークの少なくとも１つから選択する
ことを特徴とする請求項１ないし６のいずれか１項に記載の方法。
【請求項８】
ステップ（ｂ）の実質上汚染されていない流体は濾過エレメントの汚染度合をさらに増加させないことを特徴とする請求項１ないし７のいずれか１項に記載の方法。
【請求項９】
特性決定中の濾過エレメントの汚染度合のさらなる増加はすでに存在する汚染度合の最大１０％、好ましくは最大５％、より好ましくは最大２％、一層好ましくは１％、最も好ましくは０．５％であることを特徴とする請求項８に記載の方法。
【請求項１０】
汚染度合のさらなる増加は設定流速で測定された駆動力で表すことを特徴とする請求項９に記載の方法。
【請求項１１】
ステップ（ｄ）を実施した後、
（ｅ）濾過ケークを実質上除去するために濾過エレメントに洗浄処理を行ない、
補正された状態の特性を決定するため、
（ｆ）ステップ（ｂ）を繰り返し、
（ｇ）ステップ（ｃ）を繰り返す
ことを特徴とする請求項１ないし１０のいずれか１項に記載の方法。
【請求項１２】
ステップ（ｇ）の標準セットは、実質上汚染されていない流体に関係する、実質上汚染されていない濾過エレメントの測定から取得することを特徴とする請求項１１に記載の方法。
【請求項１３】
濾過ステップはデッドエンド式、セミデッドエンド式またはクロスフロー式で行うことを特徴とする請求項１ないし１２のいずれか１項に記載の方法。
【請求項１４】
ステップ（ｂ）において、例えば温度、汚濁、伝導率などから選択された少なくとも１つの他の流体特性も測定することを特徴とする請求項１ないし１３のいずれか１項に記載の方法。
【請求項１５】
請求項１ないし１４のいずれか１項に記載の方法で取得されたデータに基づいて濾過工程を制御する方法。
【請求項１６】
例えば温度、汚染濃度、流体の酸性度などの少なくとも１つから選択された流体の物理的特性を変化させ、
および／または、例えば凝集および／または予備濾過などの少なくとも１つから選択された処理を実施する
ことを特徴とする請求項１５に記載の方法。
【請求項１７】
請求項１ないし請求項１６のいずれか１項に記載の方法に適し、実質上汚染されていない濾過エレメントから標準の測定データセットを取得する方法であって、
実質上汚染されていない流体を実質上汚染されていない濾過エレメントを通して供給して、（Ｉ）流速を変化させて駆動力を測定するか、または（II）駆動力を変化させて流速を測定し、
駆動力およびそれぞれの流速の値を標準データセットに記憶させる
ことが含まれる方法。
【手続補正２】
【補正対象書類名】明細書
【補正対象項目名】００１１
【補正方法】変更
【補正の内容】
【００１１】
前述した目的の少なくとも１つを取得するために、本発明は前述した方法を提供し、その方法は次のステップが含まれたことを特徴とする。
（ａ）濾過ケークの形で濾過エレメントに堆積する流体汚染固形物を除去するため汚染された流体を濾過し、
（ｂ）その後、実質上汚染されていない流体を濾過エレメントを通して供給して、（Ｉ）流速を変化させて駆動力を測定するか、または（II）駆動力を変化させて流速を測定し、
（ｃ）少なくとも１つの標準データセットを使用して、（Ｉ）それぞれの流速における駆動力の測定値、または（II）それぞれの駆動力における流速の測定値を比較し、
（ｄ）ステップ（ｃ）の比較に基づいて、濾過工程（例えば、濾過される流体または濾過エレメント）の状態特性またはその変化の特性を決定し、
連続する時間間隔でステップ（ａ）からステップ（ｄ）までを繰り返し、状態特性の変化を取得するために連続する時間間隔でステップ（ｄ）で取得された値をステップ（ｄ）で取得された他の値と比較する。
【手続補正３】
【補正対象書類名】明細書
【補正対象項目名】００１６
【補正方法】変更
【補正の内容】
【００１６】
発明の好ましい実施形態によれば、ステップ（ｂ）において実質上汚染されていない流体を濾過エレメントを通して濾過方向に供給するとき良好な結果が得られる。
発明の好ましい実施形態によれば、ステップ（ｂ）において実質上汚染されていない流体を濾過ケークを通して濾過方向とは逆方向に供給するとき特に良好な結果が得られる。
【国際調査報告】
2008513198.tif 000006
2008513198.tif 000007
2008513198.tif 000008